(57)【要約】【課題】雨水等の貯留及び／又は浸透施設において、雨水と共に貯留部に流入する砂や汚泥を雨水と共に一定の方向に誘導し、砂や汚泥を施設の底部の所定の位置に形成した凹窪部に誘導して堆積させ、堆積した砂や汚泥を除去しやすくする充填部材を提供することを目的とする。【解決手段】充填部材３０は、雨水等を貯留する貯留部１０と、貯留部の上部を覆う被覆部材４０とを備える雨水等を貯留及び／又は浸透する施設に使用し、被覆部材を支持するものであり、上下方向に積み重ねる連結部３１と、貯留部に流入した雨水等を所定方向に誘導する傾斜板部３２とを備え、傾斜板部の下面に補強リブ３３で囲まれた下方開口の空間が形成され、この空間の上部と連通する貫通孔３４が形成され、前記貫通孔３４は前記空間の上面側の補強リブ３３に近接して穿設されている。【選択図】      図７
2005171747.tif 000002
【特許請求の範囲】
【請求項１】
雨水等を貯留及び／又は浸透する施設に使用し、雨水等を貯留する貯留部内に縦横かつ上下に連設して充填する充填部材であって、
該充填部材は、上下方向に積み重ねる連結部と、前記貯留部に流入した雨水等を所定方向に誘導する傾斜板部とを備え、該傾斜板部の下面に補強部が形成され、該補強部は、前記傾斜板部の下面に形成した補強リブであり、前記傾斜板部は前記補強リブで囲まれた下方開口の空間が形成され、該空間の上部と連通する貫通孔が前記傾斜板部に形成され、前記貫通孔は前記空間の上面側の補強リブに近接して穿設されていることを特徴とする充填部材。
【請求項２】
雨水等を貯留及び／又は浸透する施設に使用し、雨水等を貯留する貯留部内に縦横かつ上下に連設して充填する充填部材であって、
該充填部材は、上下方向に積み重ねる連結部と、前記貯留部に流入した雨水等を所定方向に誘導する傾斜板部とを備え、該傾斜板部の下面に補強部が形成され、前記傾斜板部の上面に整流リブが立設され、該整流リブにより幅狭となる溢流口が形成されていることを特徴とする充填部材。
【請求項３】
雨水等を貯留及び／又は浸透する施設に使用し、雨水等を貯留する貯留部内に縦横かつ上下に連設して充填する充填部材であって、
該充填部材は、上下方向に積み重ねる連結部と、前記貯留部に流入した雨水等を所定方向に誘導する傾斜板部とを備え、該傾斜板部の上流側縁部又は下流側縁部に舌片が延設して形成されていることを特徴とする充填部材。
【発明の詳細な説明】
【技術分野】
【０００１】
本発明は、雨水等を貯留及び／又は浸透する施設に使用される貯留部内に充填する充填部材に関する。
【背景技術】
【０００２】
従来、例えば大規模な宅地造成地では、造成面積に見合う間隔や規模で調整池を造成している。この調整池は、例えば地面を１ｍ程度掘下げて雨水等の貯留部を形成し、この貯留部に周囲の住宅地からの排水溝や道路の側溝を接続するものであり、集中豪雨等に際しては余分な雨水等を一時貯留して、周囲の住宅地の雨水等の滞留や、河川の氾濫や、下水の河川への流出等を防止するものである。
【０００３】
また、貯留部の周囲を透水シートで形成して、雨水を徐々に地面に浸透させるように構成した浸透式の貯留部を用いたものもある。このように貯留部の壁面を防水性シートで形成するか、透水性シートで形成するか、或いは下方を防水性シートで形成し上方を透水性シートで形成することによって、貯留施設、浸透施設、貯留浸透施設として機能させるものである。
【０００４】
この種の雨水等の貯留浸透施設として、特許文献１に記載の雨水等の貯留浸透施設がある。この公報に記載の技術は、地面を掘下げてタンク部を構成し、その底部からグランドライン付近まで、複数の容器状部材を縦横かつ上下に配設して充填し、最上部には、被覆手段を施したことを特徴とするものである。そして、容器状部材を多数の孔を有する底部及び周側板で構成し、底部に向かって小さくなるテーパ状に構成したことを特徴とするものである。
【０００５】
また、雨水を貯留する装置として、特許文献２に記載の雨水貯溜装置がある。この公報に記載の技術は、地面を掘り下げて形成した貯水槽の内部に、複数本の支柱を備えた合成樹脂製充填体を縦横に並べると共に上下に積み重ねて充填し、その上に被覆手段を施した雨水貯溜装置であって、貯水槽の底面に固形分排出用の溝を形成し、少なくとも上方の合成樹脂製充填体の支柱間に多数の水噴射孔を有する散水管、又は多数の排気孔を有する散気管を配設したものであり、充填体に堆積する固形分を簡単に取り除くことができるメンテナンスの容易な雨水貯溜装置を提供するものである。
【特許文献１】特公平４−２６６４８号公報（第１図〜第４図）
【特許文献２】特開２０００−１６０６０６号公報（図１〜図４）
【発明の開示】
【発明が解決しようとする課題】
【０００６】
ところで、前記した特許文献１に記載の貯留浸透施設は、雨水と共に砂や汚泥が貯留部に流れ込むことを防止するため、流入部に泥溜め枡を備えているが、長期間使用しているうちに泥溜め枡を通過した砂や汚泥が貯留部の底面に沈殿して堆積する。貯留部は内部に容器状部材が縦横かつ上下に配設して充填されており、堆積した砂や汚泥を除去することが難しい。このため、貯留部の内容積が徐々に少なくなって雨水の貯留量が少なくなり、内容積が極端に少なくなると調整池として機能しなくなる虞があった。その場合、既設の調整池を掘り起こし、充填部材を撤去後に清掃し、再度充填部材を配設しなおすという手間と多額な維持費がかかる。また、必要に応じて新規の貯留浸透施設を造成することとなり、新たな土地を必要とし、土地の有効利用の妨げになるという問題点も生じる。
【０００７】
また、前記した特許文献２に記載の雨水貯溜装置は、貯水槽の内部に散水管や散気管を別途配設するため、構成が複雑となって装置の作製が煩雑となり、費用もかさむという問題点がある。そして、散水管や散気管が貯水槽内に位置するため、その分貯水槽の空隙率が下がり貯水量が減るという問題点がある。さらに、充填体に堆積する固形分を散水管で取り除くときには、貯水槽を空にして散水管から高圧の水を噴射する操作が必要である。
【０００８】
本発明は、このような問題に鑑みてなされたものであって、その目的とするところは、雨水等の貯留及び／又は浸透施設において、雨水と共に貯留部に流入する砂や汚泥を雨水と共に一定の方向に誘導し、砂や汚泥を施設の底部の所定の位置に形成した凹窪部に誘導して堆積させ、堆積した砂や汚泥を除去しやすくする充填部材を提供することにある。また、雨水の貯留部に充填部材を積み重ねるときに、充填部材の強度が大きく施工者が充填部材の上に載って安定して積み重ねることができる充填部材を提供することにある。
【課題を解決するための手段】
【０００９】
前記目的を達成すべく、請求項１に記載の発明による充填部材は、雨水等を貯留及び／又は浸透する施設に使用し、雨水等を貯留する貯留部内に縦横かつ上下に連設して充填する充填部材であって、この充填部材は、上下方向に積み重ねる連結部と、前記貯留部に流入した雨水等を所定方向に誘導する傾斜板部とを備え、この傾斜板部の下面に補強部が形成され、この補強部は、前記傾斜板部の下面に形成した補強リブであり、前記傾斜板部は前記補強リブで囲まれた下方開口の空間が形成され、この空間の上部と連通する貫通孔が前記傾斜板部に形成され、前記貫通孔は前記空間の上面側の補強リブに近接して穿設されていることを特徴とする。
【００１０】
この構成によれば、雨水と共に貯留部に流入した固形分である砂や小砂利等は、充填部材の傾斜板部で所定の方向に誘導され、貯留部の底部に形成された凹窪部等の所定の個所に落下して堆積され、そして、堆積された砂等が一定量を超えると、地面に開口する連通路等からバキューム管等を使用して除去することができるため、貯留部の所定の貯留量を確保することができる。また、施設の貯留部に、この充填部材を積み重ねるとき傾斜板部の上面に人が載って作業を行っても充填部材が破損することなく、また人の体重が傾斜板部に加わっても変形することが少ないため、作業が安定して行え作業効率が向上する。
そして、貯留部に徐々に雨水が進入して水面が徐々に上昇したとき、補強リブで囲まれた下方開口の空間に空気が残るが、この空気は貫通孔から傾斜板部の上部に抜けるため、空間内に雨水を充満させることができ雨水の貯留量が減ることを防止できる。また、浮力による充填部材全体の浮き上がりを防止することができる。
【００１１】
請求項２に記載の発明による充填部材は、雨水等を貯留及び／又は浸透する施設に使用し、雨水等を貯留する貯留部内に縦横かつ上下に連設して充填する充填部材であって、この充填部材は、上下方向に積み重ねる連結部と、前記貯留部に流入した雨水等を所定方向に誘導する傾斜板部とを備え、この傾斜板部の下面に補強部が形成され、前記傾斜板部の上面に整流リブが立設され、この整流リブにより幅狭となる溢流口が形成されていることを特徴とする。
【００１２】
この構成によれば、雨水と共に貯留部に流入した固形分である砂や小砂利等は、充填部材の傾斜板部で所定の方向に誘導され、貯留部の底部に形成された凹窪部等の所定の個所に落下して堆積され、そして、堆積された砂等が一定量を超えると、地面に開口する連通路等からバキューム管等を使用して除去することができるため、貯留部の所定の貯留量を確保することができる。また、施設の貯留部に、この充填部材を積み重ねるとき傾斜板部の上面に人が載って作業を行っても充填部材が破損することなく、また人の体重が傾斜板部に加わっても変形することが少ないため、作業が安定して行え作業効率が向上する。
そして、傾斜板部の傾斜角度が緩やかで砂や小砂利等が雨水とともに流れずに滞留しても、整流リブにより雨水が幅狭の溢流口へ誘導され、この溢流口では水位が上昇するとともに流速が増し、砂や小砂利等が溢流口から下流側へ一気に流出される。
【００１３】
請求項３に記載の発明による充填部材は、雨水等を貯留及び／又は浸透する施設に使用し、雨水等を貯留する貯留部内に縦横かつ上下に連設して充填する充填部材であって、
該充填部材は、上下方向に積み重ねる連結部と、前記貯留部に流入した雨水等を所定方向に誘導する傾斜板部とを備え、該傾斜板部の上流側縁部又は下流側縁部に舌片が延設して形成されていることを特徴とする。
【００１４】
請求項３に記載の発明による充填部材において、舌片が上流側縁部又は下流側縁部の少なくともどちらか一方に屈曲可能に形成されていてもよいし、また、最初から屈曲した状態であってもよい。
【発明の効果】
【００１５】
請求項１に記載の充填部材によれば、雨水と共に貯留部に流入した固形分である砂等は、充填部材の傾斜板部で所定の方向に誘導され、貯留部の底部に形成された凹窪部等の所定の個所に落下して堆積され、堆積された砂等が一定量を超えると、地面に開口する連通路等からバキューム管等を使用して除去することができるため、貯留部の所定の貯留量を確保することができる。このため、この種の施設の耐久性を高めることができる。
【００１６】
また、傾斜板部の下面に補強リブを形成したので上面は略平坦であり、施工時に施工者が略平坦な傾斜面に安定して載って施工することができ、傾斜板部の変形が少なく破損も防止でき作業効率が向上する。
そして、前記傾斜板部に空間の上部と連通する貫通孔を前記空間の上面側の補強リブに近接して穿設したので、補強リブで囲まれた下方開口の空間の空気が排気され易い。従って、下方開口の空間内に雨水を充満させることができ、多量の雨水を貯留することができる。
【００１７】
請求項２に記載の充填部材によれば、雨水と共に貯留部に流入した固形分である砂等は、充填部材の傾斜板部で所定の方向に誘導され、貯留部の底部に形成された凹窪部等の所定の個所に落下して堆積され、堆積された砂等が一定量を超えると、地面に開口する連通路等からバキューム管等を使用して除去することができるため、貯留部の所定の貯留量を確保することができる。このため、この種の施設の耐久性を高めることができる。
そして、傾斜板部の傾斜角度が緩やかで砂や小砂利等が雨水とともに流れずに滞留しても、整流リブにより雨水が幅狭の溢流口へ誘導され、この溢流口では水位が上昇するとともに流速が増し、砂や小砂利等が溢流口から下流側へ一気に流出される。
【００１８】
請求項３に記載の充填部材によれば、雨水と共に貯留部に流入した固形分である砂等は、充填部材の傾斜板部で所定の方向に誘導され、貯留部の底部に形成された凹窪部等の所定の個所に落下して堆積され、堆積された砂等が一定量を超えると、地面に開口する連通路等からバキューム管等を使用して除去することができるため、貯留部の所定の貯留量を確保することができる。このため、この種の施設の耐久性を高めることができる。
そして、傾斜板部の上流側縁部又は下流側縁部に舌片が延設して形成されているので、雨水が上段の充填部材から流れて、次列の中段の充填部材に流下するときに、上段の充填部材の裏側に回り込まむのを舌片により防止することができる。従って、砂や小砂利等が雨水とともに各充填部材に偏ることなく確実に誘導されることになる。
【発明を実施するための最良の形態】
【００１９】
以下、本発明に係る充填部材の実施の形態を第１実施例〜第３実施例について図面に基づき詳細に説明する。
なお、本実施の形態では、本発明に係る充填部材が使用される雨水等を貯留する貯留施設について詳細に説明する。
図１は、本実施の形態に係る充填部材が使用される雨水等の貯留施設の断面図、図２は、図１の被覆部材を省略した平面図、図３は、図１のＡ−Ａ線断面図である。
【００２０】
図１〜３において、雨水等の貯留施設は、大雨が降ったときに雨水を一時的に貯留し、河川流量が急激に増大するのを防止する流出抑制効果を有するものである。そして、貯留された雨水等を植木への散水や洗車用水、非常時の生活用水や防火用水として利用することもできるものであり、地面１を掘下げて形成した貯留部１０と、貯留部１０内に水平方向に並べて設置すると共に、上下方向に重ねる多数の充填部材３０と、充填部材３０の最上部に載置され貯留部１０の上部を覆う被覆部材４０とを備えている。
【００２１】
貯留部１０は、地面１を例えば１〜１０ｍ程度の深さで平面形状が矩形状に掘下げて掘削部２を造成し、底面は割栗石等を敷き詰めて突き固めて基礎部３を形成している。貯留部１０の底面は、基本的には平坦面となっており、底面の長辺方向の中央部には平坦面から一段落ち込んだ凹窪部１１が形成されている。この凹窪部１１は底面の短辺方向の全幅に亘って形成されている。凹窪部１１の底面及び貯留部１０の底面全面には、防水シート１２が敷設されている。防水シート１２としては厚さが１．５ｍｍ以上の合成ゴム又は樹脂系シート又はアスファルト系シートを使用している。そして、貯留部１０の底面の凹窪部１１には格子状のフレーム１４が嵌め込まれ、貯留部１０の底面は全面が略平坦となっている。
【００２２】
なお、割栗石等から形成される基礎部３上に保護ボード１３を敷き、その上に防水シート１２を敷設するようにしてもよい。また、前記した保護ボード１３の代わりに、防水シート１２の下に必要に応じてポリエステル系不織布シート等の基礎用シート（図示せず）を敷設し、防水シート１２を基礎部３の割栗石から保護するようにしてもよい。さらに、凹窪部は貯留部の広さに応じて複数本形成し、複数の凹窪部に充填部材３０の後述する傾斜板部で雨水を誘導するようにしてもよい。
【００２３】
前記のように略平坦とされた貯留部１０の底面に、多数の充填部材３０が水平に並べられると共に、上下に重ねられて設置される。本実施の形態では、貯留部１０は図２に示すように充填部材３０を１段に２０個並設するスペースを有し、凹窪部１１の両端に対応する２ヶ所を除いた１８個を１段に並設している。この状態で充填部材３０を７段、直接積み重ねて小さいピッチとし、この上に充填部材３０を４段、連結部材３５を挟んで積み重ねて大きいピッチとしており、充填部材３０は貯留部１０内に充填されて雨水等の貯留空間を確保すると共に、上部の被覆部材４０を支持するものである。
【００２４】
２個の充填部材が除かれた貯留部１０内を上下方向に貫通するスペースには、凹窪部１１に連通する角型マンホール１５，１６を設置している。そして、充填部材３０の傾斜板部で誘導された雨水が砂等と共に凹窪部１１に誘導され落下する構成となっている。また、この角型マンホール１５，１６は、凹窪部１１に堆積された砂等の堆積物を除去する際に、バキューム管や洗浄水を噴射する管を通すスペースとして利用されると共に、貯留部１０内の雨水を空にして内部状況を点検できるようにマンホール内周壁には点検孔が穿口されている。
【００２５】
（第１実施例）
図４〜１０は、本実施の形態における第１実施例を示す図で、図４は第１実施例の充填部材を示す上方の斜視図、図５は第１実施例の充填部材を示す下方の斜視図、図６（ａ）は図４のＢ−Ｂ線断面図、（ｂ）は図４のＣ−Ｃ線断面図、図７(a) 〜(b) は第１実施例の充填部材の変形例を説明する概略図、図８は第１実施例における充填部材の更に別の変形例を示す上方の斜視図、図９は第１実施例の充填部材の要部を示し、（ａ）は貫通孔を示す断面図、（ｂ）は貫通孔の変形例の断面図、図１０は図１の施設に使用する連結部材を示し、（ａ）は上方の斜視図、（ｂ）は下方の斜視図、図１１は（ａ）は図１０の連結部材を２つ組んだ状態の斜視図、（ｂ）は４つ組んだ状態の斜視図である。
【００２６】
本実施例における充填部材３０は、図４〜６に詳細に示すように、ポリエチレン、ポリプロピレン、塩化ビニル、ポリエチレンテレフタレート等のプラスチックや、これらの廃プラスチック等から形成され、貯留部１０の上部を覆う被覆部材４０の垂直荷重、及び水圧による水平荷重を支持し、貯留部１０の空間を確保する４本の柱状の連結部３１と、４本の連結部３１に固定され水平面に対して約５度程度の角度で傾斜する傾斜板部３２とから構成されている。
【００２７】
傾斜板部３２は厚さが４〜５ｍｍ程度の肉厚の板材で形成され、流入した雨水等を所定方向に誘導する誘導手段を構成する。傾斜板部３２の傾斜方向Ｓは、矢印の先端が低い方向となっており、傾斜角度が緩やかな場合砂等が雨水と共に流れずに滞留するため、５度程度の傾斜角度が好ましい。充填部材３０の大きさは、例えば１辺が５０ｃｍ〜１ｍ程度の正方形の傾斜板部３２と、傾斜板部の四隅に上下に延びる連結部３１とから構成され、連結部３１は高さが１０〜１５ｃｍ程度の三角柱で形成され、１辺が５０ｃｍ〜１ｍ程度で高さが１０〜１５ｃｍ程度の直方体に納まるような形状をしている。
連結部３１は三角柱とされているが、図７(a) 〜(b) に示すように、上流側の連結部３１と下流側の連結部３１とが対向する斜め側面のコーナー部に湾曲面３１ｋを形成するようにして、流入する雨水がコーナー部で滞留しないようにしてもよい。
【００２８】
なお、充填部材３０の大きさは、１辺が３０ｃｍ程度の大きさでも、また１辺が１ｍ以上の大きさでもよい。
また、本実施例において充填部材３０の傾斜板部３２は平板を傾斜させた例を示したが、平板でなく傾斜方向に沿って緩やかに凹んだ、或いは緩やかに凸状に膨らんだ湾曲面でもよく、小さい段差が連続して勾配が付いた階段状の傾斜面でもよく。さらに、急勾配から緩勾配に途中で変化するような傾斜面で構成してもよい。例えば、図７(a) に示すように、流れ方向の中央部３２ｓが両側部よりも急勾配となるように下流側において断面Ｖ字状にしてもよいし、或いは、図７(b) に示すように下流側において中央部３２ｓをＵ字状に窪ませてもよい。要は、流入する雨水が重力の作用により一方向にのみ流れるような傾斜面であればよい。
【００２９】
連結部３１は厚さが４〜５ｍｍ程度の肉厚の板材で形成され、大きい断面の三角パイプ状の上部柱部３１ａの下方には、上部柱部３１ａの内部に嵌合する小さい断面の三角パイプ状の下部柱部３１ｂが形成されている。したがって、充填部材３０の上部柱部３１ａに、他の充填部材３０の下部柱部３１ｂを内嵌させることにより充填部材３０同士を小さいピッチ、すなわち連結部３１の高さのピッチで積み重ねることができる。三角パイプ状の連結部３１の底面と側面には上下に貫通孔３１ｃ，３１ｄが形成され、下方の貫通孔から雨水が進入することができ、側方の貫通孔から内部の空気が逃げることができる。なお、下部柱部３１ｂは、コーナー部が切欠かれているが連続したものでもよい。また、連結部３１内の底面は土砂等を傾斜板部３２に誘導するために、側面の貫通孔方向に傾斜していることが好ましい。
【００３０】
傾斜板部３２の下面には補強部が形成され、上面は平坦で緩やかな傾斜面となっている。補強部としては、所定の間隔で一体的に縦横に立設された格子状の補強リブ３３が形成されている。この補強リブ３３は傾斜板部３２の中央部の上下幅が大きく、周辺に行くにしたがって上下幅が徐々に小さくなるように形成されている。この構成により、傾斜板部３２の上面に荷重が加わっても傾斜板部３２の変形は小さくなり、上面に施工者が載ってもひび割れ等の破損が生じることを防止できる。なお、補強リブは格子状でなくてもよいが、格子状にすると一方向のものと比較して強度が大きくなり好ましく、六角形のハニカム格子状が強度面からより好ましい。
【００３１】
傾斜板部３２には、この補強リブ３３で囲まれた下方開口の空間が形成され、この空間の傾斜板部３２の上部と連通する貫通孔３４を形成している。この貫通孔３４は、前記空間の上面側の補強リブに近接して穿設され、また、１つの空間に対して１つの貫通孔３４が穿設されている。そのため、空間の上面側から空気を逃がすことができるので、全ての空間に空気が残留することがない。
【００３２】
貫通孔３４の穿設する個数は上記例に限定されるものではなく、例えば、図８に示すように、１つの空間に対して２〜３つの貫通孔３４を穿設してもよい。
また、貫通孔３４としては、図９（ａ）に示すように、横方向の補強リブ３３に近接した傾斜板部３２の下面から上面へ先窄まりのテーパ状の孔を形成したものであってもよいし、また、図９（ｂ）に示すように、横方向の補強リブ３３に近接した部分に突球面の一部で構成される突部３４ａを形成し、傾斜板部３２の下面から突部３４ａの頂点へ向けて先窄まりのテーパ状の孔を形成したものであってもよい。
【００３３】
貫通孔３４を先窄まりのテーパ状の孔とすることにより、雨水が傾斜板部３２に沿って流れるときに、雨水に含まれる砂等が先窄まりの貫通孔３４から落下することはない。また、雨水が貯留部１０の底面から徐々に上昇し補強リブ３３で構成される下方開口の空間を塞いでも、空間内の空気はテーパ状の貫通孔３４から傾斜板部３２の上部に抜け易く、これにより先窄まりの貫通孔３４の上面側に詰まった砂を上方に空気と共に噴出させることができる。
【００３４】
図９（ｂ）に示す実施形態においては、雨水が傾斜板部３２に沿って流れるときには突出する突部３４ａの周囲を流れて貫通孔３４に雨水が流入せず、このため雨水に含まれる砂等が貫通孔３４から落下することはなく、雨水と共に砂等は傾斜板部３２に沿って所定の方向に誘導される。雨水が貯留部１０の底面から徐々に上昇し補強リブ３３で構成される下方開口の空間を塞いでも、空間内の空気はテーパー状の貫通孔３４から傾斜板部３２の上部に抜けるため、空間内に雨水が充満することができ雨水の貯留量を減らすことはない。
また、施工時に傾斜板部３２上に施工者が載っても、傾斜した平坦面に突部３４ａが形成されているため靴等が滑ることがなく、安定した状態で施工することができ、施工者の転倒等を防止できる。
【００３５】
充填部材３０は連結部３１の上部に連結部材３５を挟んで積み上げることにより、大きいピッチで積み重ねることができる。連結部材３５は三角パイプ状の連結部３１を繋ぐものであり、図１０に示すように上方の大きい三角パイプ状の連結部３６は充填部材３０の下部柱部３１ｂを外嵌し、下方の小さい略三角パイプ状の連結部３７は充填部材３０の上部柱部３１ａに内嵌されるように構成されている。連結部材３５の高さを調整することにより、充填部材３０を積み重ねるピッチを任意に設定することができる。また、図示していないが、連結部の高さの大きい充填部材と、小さい充填部材の２種類の充填部材を準備し、小さいピッチ又は大きいピッチで積み重ねるようにしてもよい。なお、連結部３７は一部が切欠かれているが、連続したものでもよい。
【００３６】
連結部材３５は外側の直交する垂直面に水平方向の接合部３８を備えている。垂直面の一方には接合凸部３８ａが突出形成され、垂直面の他方には接合凸部３８ａが嵌合する接合孔３８ｂが形成されている。接合凸部３８ａは、接合孔とほぼ同じ直径の根元の小径部と、その上部の先端が傾斜している大径部とから構成され、小径部と大径部に掛けてスリットが形成され、大径部は内側に湾曲して縮径することができる。この構成により、接合凸部３８ａは接合孔３８ｂに嵌合して保持され、連結部材３５同士を水平方向に接合することができる。連結部材３５は土砂を傾斜板部３２に誘導するために傾斜した仕切り板を備えており、この仕切り板の低い位置には貫通孔３９が形成され、雨水の進入と空気の排出も可能となっている。
【００３７】
連結部材３５は、図１１（ａ）に示すように、接合部３８の接合凸部３８ａを接合孔３８ｂに嵌合させることにより２個の連結部材３５を接合することができる。このように２個を接合させた連結部材は、充填部材３０が貯留部１０の外周側に位置しているときに使用する。また、図１１（ｂ）に示すように、接合部３８の接合凸部３８ａを接合孔３８ｂに嵌合させることにより４個の連結部材３５を接合することができる。この場合は、充填部材３０が貯留部１０の中心側に位置しているときに使用する。なお、使用していない接合凸部３８ａで突出しているものは、刃物等で切断して平坦としてもよい。また、角型マンホール１５，１６の角部に対向する充填部材３０を接合するときは、図示していないが３個の連結部材を接合して使用する。
【００３８】
本実施の形態では、図２において左端の縦一列の４個の充填部材３０は雨水を誘導する傾斜方向Ｓ１が右方向に向くように、すなわち貯留部の中央の凹窪部１１に向けて誘導するように配置され、右端の縦一列の４個の充填部材３０も傾斜方向Ｓ１が左方向に向いて貯留部の中央の凹窪部１１に向けて誘導するように配置されている。そして、左端から２番目の縦一列の４個の充填部材３０は、上から順に傾斜方向Ｓが下向きＳ３、右向きＳ１、上向きＳ４、上向きＳ３になるように配置され、右端から２番目の縦一列の４個の充填部材３０は上から順に傾斜方向Ｓが下向きＳ３、左向きＳ１、左向きＳ１、上向きＳ３になるように配置される。中央上側の充填部材３０は、傾斜方向Ｓが同図において下向きＳ２になるように配置され、中央下側の充填部材３０は左向きＳ３になるように配置されている。
【００３９】
前記の傾斜方向は以下のように決定されている。第１に充填部材の傾斜方向Ｓ１は凹窪部１１に向けられる。第２に凹窪部の上部に位置する充填部材は傾斜方向Ｓ２のように流出側に向けられる。第３に連通路であるマンホール部分では、雨水が行き止まりにならないように別の方向に傾斜方向Ｓ３のように逃がす。そして、第４に隣同士の充填部材の傾斜方向が向き合わないように傾斜方向Ｓ４とする。この結果、流出側のマンホール部分では、一部の雨水が右回りに旋回する旋回流Ｓ５が生じて徐々に傾斜板部の隙間から落下するように構成される。なお、傾斜方向Ｓ３を右向きとし、右側の充填部材の傾斜方向Ｓ４を上向きにすることにより旋回流を中央より右側に、左回りとするようにしてもよい。
【００４０】
このため、雨水は充填部材３０により中央の凹窪部１１に向けて誘導されると共に、凹窪部１１に向けて徐々に落下して誘導される構成となっている。充填部材３０はこのような誘導方向で、小さいピッチで７段積み重ねたあと、大きいピッチで４段積み重ねられる。なお、小さいピッチで積み重ねた場合は、傾斜板部３２は下段側の誘導方向の傾斜板部３２と僅かな段差で連続し、雨水を連続的に誘導できる。
【００４１】
このように１段に１８個連設して、１１段積み重ねられた充填部材３０は、基礎に相当する下半分が小さいピッチで積み重ねられて強度が大きくなっており、上半分は大きいピッチで空隙率が大きくなっている。また、充填部材３０を高く積み重ねると不安定となるが、上部の充填部材３０は連結部材３５の接合部３８で水平方向に接合されているため安定し、施工が容易となる。さらに、充填部材３０は積み重ね状態が安定しているため、上部の被覆部材４０を安定して支持することができ、雨水等を貯留及び／又は浸透する施設の耐久性を向上させることができる。
【００４２】
充填部材３０は、単位体積当たりの空隙率が高いことや、実用上十分な強度、耐久性を有することが要求されると共に、運搬施工が容易であり、維持管理が容易であることが要求され、耐荷重は例えば垂直方向は１平方メートル当たり５〜２０トン、水平方向は５〜１６トン、空隙率は９０％程度が好ましい。また、前記のように連結部３１にスリットや貫通孔を設けて内部に雨水等が入るようにして空隙率を上げることが好ましい。
【００４３】
充填部材３０が上下に１１段に積層され設置されたあと、充填部材３０の側面を覆う壁材２０が立設され、その外側に防水シート２１が垂直方向に配置され、さらに外側には砂利や砕石等の埋め戻し材２２が掘削部２との間に充填される。壁材２０は、この外側に位置する防水シート２１が貯留部１０の空間に入り込むのを防止している。防水シート２１は貯留部１０の底面に敷いたものと同等の合成ゴム又は樹脂系シートを使用し、底面の防水シート１２と漏水しないように、融着又は防水性の接着剤等で接合されている。防水シート２１を砂利等の埋め戻し材２２から保護するため、防水シート２１の外側に壁材２０と同等の保護板２３を配置してもよい。
【００４４】
なお、貯留施設でなく、浸透施設とする場合は、防水シート１２，２１の代わりに、例えばポリエステルとポリプロピレンの複合張合わせをした透水シートを敷設する。浸透型の施設の場合、貯留部に溜まった雨水等を徐々に地面に浸透させる。また、貯留と浸透の両方の機能を持たせる場合は、底面を防水シート１２とし、側面の途中まで防水シート２１を敷設し、側面の途中から上を透水シートで覆うようにする。この貯留浸透型の施設の場合、上半分の透水シートから雨水等を徐々に地面に浸透させ、下半分は貯留して利用する。
【００４５】
貯留部１０には、周辺に降った雨水等を集める側溝等からの導水管２５が接続される。そして導水管２５の途中には泥溜め枡２６が設置され、雨水中の砂や泥が沈殿され、上澄み水が貯留部１０に導水管２５によって導入される構成となっている。導水管２５は複数本が泥溜め枡２６から延出して貯留部１０の壁材２０と防水シート２１を貫通して等間隔に挿入されている。なお、複数の導水管２５は、その長さを変えて貯留部１０の奥に雨水を流入させるように構成してもよい。これにより、貯留部１０の長辺方向に沿って均一に雨水等を導入することができる。
【００４６】
貯留部１０の上部からオーバーフロー管２７が突出しており、貯留部１０の下部からはオリフィス管２８が突出している。オーバーフロー管２７は貯留部１０が満水に近い状態となると上部から放流するものである。オリフィス管２８は貯留部１０に溜められた雨水を徐々に流出させるものであり、オリフィスの径を調整して流出量を調整できる。貯留部１０に溜まった雨水を利用するときには、貯留部１０内の雨水をポンプで汲み上げて、植木への散水や洗車用水として利用することもできる。
【００４７】
貯留部１０の上部開口は被覆部材４０が覆っている。被覆部材４０は多数の充填部材３０の上部に載置される被覆ボード４１と、この上に敷設された防水シート４２と、この上に埋め戻された埋め戻し層４３とから構成される。被覆ボード４１は、図示していないが充填部材３０の上部の連結部が嵌合する凹部を有すると充填部材に安定して載置できて好ましい。被覆ボード４１の角型マンホール１５，１６に対応する位置に連通口１７を固定する。そして、防水シート４２を連通口１７に接合すると共に、防水シート４２と側面の防水シート２１は重ね合わせて側面で接合する。これにより凹窪部１１は、角型マンホール１５，１６と、連通口１７を通して地面に開口し、連通口１７から洗浄水やバキューム等のホースを挿入して凹窪部１１にホースの先端を到達させることができる。連通口１７は通常は図示していない蓋により閉じられている。なお、防水シート４２の上に、保護ボード４４や保護シートを敷くようにしてもよい。
【００４８】
このようにして貯留部１０は、底面の防水シート１２と、側面の防水シート２１とにより、雨水等を貯留することができ、防水シート１２，２１と上面の被覆部材４０の防水シート４２とにより内部空間が構成される。そして、被覆部材４０の埋め戻し層４３により、地面１と同じ平面に埋め戻される。なお、貯留部１０の上部の防水シート４２を透水シートで構成し、貯留部１０の上部に降った雨水を埋め戻し層４３、透水シート、被覆ボード４１を通して直接、貯留部１０に貯留するようにしてもよい。また、被覆部材は前記の構成に限らず、充填部材の上部に単にコンクリート板等を並べるような構成でもよい。
【００４９】
前記の如く構成された本実施形態の雨水等を貯留及び／又は浸透する施設の充填部材の積み重ね動作について以下に説明する。地面１を掘下げて掘削部２を形成し、掘削部２の底面に基礎部３を形成する。基礎部３の長辺方向の中央部に短片方向に全幅に亘って凹窪部１１を形成する。
【００５０】
貯留部１０の底面に防水シート１２を敷き、フレーム１４をはめ込んだあと、貯留部１０の底面に充填部材３０を並べる。なお、最下段に貫通孔を多数穿設した下地ボードを敷き、その上に充填部材３０を積み重ねるようにしてもよい。貯留部１０の最下段に充填部材３０を傾斜板部３２が所定の方向に向くように１８個並べ、その上に２段目の充填部材３０を積み重ねる。２段目の充填部材３０は１段目の充填部材３０の連結部３１の上部柱部３１ａに、２段目の充填部材３０の下部柱部３１ｂを内嵌させて直接連結し、小さいピッチで積み重ねられる。２段目の充填部材３０も傾斜板部３２が所定の方向に向くように積み重ねる。
【００５１】
充填部材３０は正方形の傾斜板部３２の四隅に連結部３１が突出し、傾斜板部３２は下面側に補強リブ３３が形成され上面側は平坦であるため、施工者が傾斜板部３２上に容易に載ることができ、不要な突出物が無いため施工が容易となる。また、傾斜板部３２は補強されているため変形が少なく破損を防止でき、作業効率を上げることができる。このようにして、貯留部１０内に充填部材３０を本実施の形態では小さいピッチで、すなわち充填部材３０同士を直接７段積み重ねる。
【００５２】
このあと、充填部材３０の連結部３１の上に、連結部材３５を挟んで充填部材３０を積み重ねる。すなわち、１つの充填部材３０の４つの連結部３１の上部柱部３１ａに、４つの連結部材３５の下方の連結部３７を内嵌させ、連結部材３５の上方の連結部３６に充填部材３０の下部柱部３１ｂを内嵌させる。連結部３１が貯留部１０のコーナーに位置しているときは連結部３１の上部に１つの連結部材３５を重ねて押し込む。また、貯留部１０の外周で連結部３１，３１が２つ並んでいるときは、図１１（ａ）に示すように２つの連結部材３５を接合部３８で接合して、２つの連結部３１，３１に重ねて押し込む。
【００５３】
さらに、貯留部１０の中間部では４つの連結部３１…が接しているが、この場合は図１０（ｂ）に示すように４つの連結部材３５…を接合部３８で接合してから、４つの連結部３１…の上に載せて押し込む。角型マンホール１５，１６に接している充填部材３０は、３つの連結部材３５を接合して３つの連結部３１の上に載せて押し込む。これにより、２〜４つの連結部材３５は接合凸部３８ａを接合孔３８ｂに嵌合させて水平方向に連結されているため、７段積み重ねられた充填部材３０の上部が揺れて不安定になることを防止できる。
【００５４】
このようにして７段目の充填部材３０と８段目の充填部材３０を連結部材３５で連結し、連結部材３５同士は接合部３８により水平方向に関連付けられるため整然と並べることができ、充填部材３０の垂直方向の強度を向上させることができる。同様にして、９段目から１１段目まで連結部材３５を挟んで３段積み重ねて充填部材３０の積み重ね動作を完了する。充填部材３０が積み重ねられ、施工者が載る面が底面から高くなると充填部材３０が揺れて施工しにくくなるが、上部の充填部材３０は連結部材３５で水平方向に繋げられるため充填部材３０の水平方向の揺れを防止でき、施工者が安定して作業できるため作業効率が向上し施工が容易となる。充填部材３０は下部が小さいピッチで積み重ねられ強度が向上し、上部が大きいピッチで積み重ねられ空隙率が向上する。
【００５５】
この貯留施設の周辺に雨が降り、側溝等により雨水が集められて泥溜め枡２６に流入し、ここで泥分が沈殿されて上澄み水が導水管２５から貯留部１０に導入される。貯留部１０に雨水が導入されると、上部の大きいピッチの充填部材３０で雨水及び砂や小砂利等は傾斜板部３２で中央に向けて誘導され、上段の充填部材３０から落ちた砂等は下段の充填部材３０で中央に誘導され、砂等を含む雨水は凹窪部１１の方向に誘導され落下する。そして砂等の固形分は凹窪部１１に沈殿する。従って、貯留部１０の底面全面に亘って、砂や汚泥が堆積することがなく、傾斜板部３２によって誘導された凹窪部１１に砂や汚泥が集中して堆積する。しかも、雨水が流入する際に、自動的に砂等が所定の方向に誘導され自浄されるため、固形分を充填部材から取り除くための洗浄等の操作を必要としない。
【００５６】
雨水が徐々に上昇し充填部材３０の補強リブ３３に到達すると、補強リブ３３に囲まれた下方開口の空間の空気は雨水面に押されて空気は貫通孔３４から逃げ、空間内には雨水が充満する。そして、補強リブ３３に囲まれた次の空間にも雨水が進入して充満され、このように下方に開口する空間内にも徐々に雨水を充填させることができ、貯留部１０内に雨水を効率良く貯留することができる。
【００５７】
雨水に含まれる砂や汚泥は少量であるが、貯留施設を長期間使用すると砂等は徐々に堆積して量が増していく。また、降雨が激しいときは、泥溜め枡２６を通過して流入する砂等が増える。このようにして凹窪部１１に堆積した砂等の堆積物は、地面に開口する連通口１７から目視で判断することができ、ある程度の量となった時点で連通口１７から、例えばバキューム管を角型マンホール１５，１６に挿入して砂等の堆積物を吸い出して除去する。また、一方の角型マンホール１５から高圧洗浄水を噴射し、他方の角型マンホール１６から吸い出すと効率よく堆積物を除去できる。このため、貯留部１０に砂等が堆積して内容積が減少し、雨水の貯留量が減ることを防止できる。
【００５８】
降雨量が多く、導水管２５から多量の雨水等が流れ込み貯留部１０が満水状態となると、貯留部上部のオーバーフロー管２７から雨水は流出し、図示していない下水管等に排水される。貯留部１０内に溜められた貯留水を散水等に利用するときは、貯留部内の雨水をポンプで汲み上げて利用することができる。また、オリフィス管２８の途中に取水枡を設けて、ここから貯留水を取水して利用するようにしてもよい。
【００５９】
（第２実施例）
つぎに、本実施の形態における第２実施例を図１２〜１４に基づき詳細に説明する。
図１２は第２実施例の充填部材を示す上方の斜視図、図１３はその平面図、図１４は図１３のＤ−Ｄ線断面図である。なお、本実施例は前記した第１実施例に対し、傾斜板部の上面に整流リブが立設されていることが異なっている。そして、他の実質的に同等の構成については同じ符号を付して詳細な説明は省略する。
【００６０】
図１２〜１４において、この充填部材３０Ａは、傾斜板部３２の上面に傾斜方向に沿って２本の整流リブ５１が立設され、この一対の整流リブ５１は上流側から下流側に向けて幅狭となるように溢流口５１ａを形成して配設されている。そして、整流リブ５１の高さは３〜５０ｍｍ程度で、下流側となる溢流口５１ａに向けて徐々に高くなるように形成されている。
【００６１】
この構成により、傾斜板部３２の傾斜角度が緩やかな場合で砂や小砂利等が雨水とともに流れずに滞留しても、整流リブ５１により雨水が溢流口５１ａへ誘導され、溢流口５１ａでは水位が上昇するとともに流速が増し、砂や小砂利等が溢流口５１ａから下流側へ一気に流出される。
【００６２】
（第３実施例）
つぎに、本実施の形態における第３実施例を図１５〜１７に基づき詳細に説明する。
図１５は第３実施例の充填部材を示す平面図、図１６は図１５のＥ−Ｅ線断面図、図１７は第３実施例の充填部材が積み重ねられて使用される状態を説明する要部拡大断面図である。なお、本実施例は前記した第２実施例に対し、傾斜板部の上流側縁部又は下流側縁部に舌片が延設して形成されていることが異なっている。そして、他の実質的に同等の構成については同じ符号を付して詳細な説明は省略する。
【００６３】
図１５〜１７において、充填部材３０Ｂは、傾斜板部３２の上流側縁部３２ｋ及び下流側縁部３２ｋにそれぞれ舌片３２ａ、３２ｂが延設して形成されている。
舌片３２ａ、３２ｂは上流側縁部３２ｋ及び下流側縁部３２ｋに傾斜板部３２と面一となるように形成されていてもよいが、上流側縁部３２ｋの舌片３２ａが上方に屈曲自在とされていてもよく、また、下流側縁部３２ｋの舌片３２ｂが下方に屈曲自在とされていてもよい。
【００６４】
このように舌片３２ａ、３２ｂが屈曲自在とされていると、傾斜板部３２から舌片３２ａ、３２ｂがはみ出さないように折り畳むこきができ、充填部材３０Ｂを積み重ねて運搬するときに都合がよい。また、貯留部１０内で並べて使用するときに、上流側縁部３２ｋの舌片３２ａを上方に屈曲して使用すれば、充填部材３０Ｂの上流側縁部３２ｋで雨水が逆流することがない。
【００６５】
上記充填部材３０Ｂは、水平に並べられると共に、上下に重ねられて使用される。
本実施例では、図７に示すように、充填部材３０Ｂは連結部３１の上部に連結部材３５を挟んで積み上げることにより複数段積み重ねられ、雨水を誘導する傾斜方向が右方向に向くように左側または右側にそれぞれ縦一列に積み重ねられて配置されている。
【００６６】
雨水が左縦列の上段の充填部材３０Ｂから流れて、右縦列の中段の充填部材３０Ｂに流下して右方向に流れていく。このとき舌片３２ａ、３２ｂががあるため左縦列の真下（中段）の充填部材３０Ｂに雨水が回り込むことがなく、右縦列の中段の充填部材３０Ｂに確実に誘導されることになる。従って、砂や小砂利等が雨水とともに積み重ねられているそれぞれの充填部材３０Ｂを均等に流下することになる。
【００６７】
以上、本発明の実施の形態を図面により詳述してきたが、具体的な形態はこの実施の形態に限られものではなく、本発明の要旨を逸脱しない範囲における設計の変更等があっても本発明に含まれる。
【００６８】
例えば、前記第２実施例において、一対の整流リブ５１を傾斜板部３２の上面に下流側で幅狭となるように溢流口５１ａを形成して配設したが、一対の整流リブ５１を上流側にも設けて２段構えとしてもよい。また、図１８（ａ）に示すように、上流側が幅狭の整流リブ５２を複数並列に配設してもよく、図１８（ｂ）に示すように、Ｖ字状に屈曲した一対の整流リブ５３を頂部同志が近接するように配設して溢流口５３ａを形成してもよいし、図１８(c) に示すように、逆Ｖ字状に屈曲した整流リブ５４の頂部を上流側に向けて配設して、連結部３１との間に溢流口５３ａを形成してもよい。
【００６９】
また、前記第３実施例において、充填部材３０Ｂの舌片３２ａ、３２ｂを、傾斜板部３２の上流側縁部３２ｋ及び下流側縁部３２ｋにそれぞれ延設したが、上流側縁部３２ｋ又は下流側縁部３２ｋのいずれか一方の縁部３２ｋに延設しても同じ効果が得られる。
【００７０】
また、第１実施例において図６に示すよう、下流側縁部に下方へ垂設してリブを形成したり、第３実施例において図１５〜１６に示すように、下流側縁部３２ｋに舌片３２ｂを延設したりしたが、図１９〜図２０に示すように、下流側縁部３２ｋを鋭角に切除して水切り端縁３２ｃを形成してもよい。このように下流側縁部３２ｋに鋭角に切除した水切り端縁３２ｃを形成すると、傾斜板部３２の下流側縁部３２ｋにおいて、雨水が流下するときの雨水の接触面積が小さくなる。そのため、下流側縁部３２ｋでは水の表面張力が小さくなり濡れや付着がしにくく、水が傾斜板部３２の下流側縁部３２ｋから裏側に巻き込まれて回り込むことがない。
【００７１】
従って、雨水が上段の充填部材３０から流れて、次列の中段の充填部材に流下するときに、上段の充填部材３０の傾斜板部３２の裏側に回り込まりないから、砂や小砂利等が雨水とともに各充填部材３０に偏ることなく確実に誘導されることになる。
【図面の簡単な説明】
【００７２】
【図１】本発明に係る充填部材が使用される雨水等を貯留及び／又は浸透する施設の一実施形態の断面図。
【図２】図１の被覆部材を省略した平面図。
【図３】図１のＡ−Ａ線断面図。
【図４】図１の第１実施例の充填部材を示す上方の斜視図。
【図５】図１の第１実施例の充填部材の下方の斜視図。
【図６】（ａ）は図４のＢ−Ｂ線断面図、（ｂ）は図４のＣ−Ｃ線断面図。
【図７】(a) 〜(b) は第１実施例の充填部材の変形例を説明する概略図。
【図８】第１実施例における充填部材の更に別の変形例を示す上方の斜視図。
【図９】第１実施例の充填部材の要部を示し、（ａ）は貫通孔を示す断面図、（ｂ）は貫通孔の変形例の断面図。
【図１０】図１の施設に使用する連結部材を示し、（ａ）は上方の斜視図、（ｂ）は下方の斜視図。
【図１１】（ａ）は図１０の連結部材を２つ組んだ状態の斜視図、（ｂ）は４つ組んだ状態の斜視図。
【図１２】第２実施例の充填部材を示す上方の斜視図。
【図１３】図１２の充填部材の平面図。
【図１４】図１３のＤ−Ｄ線断面図。
【図１５】第３実施例の充填部材を示す平面図。
【図１６】図１５のＥ−Ｅ線断面図。
【図１７】第３実施例の充填部材の使用状態を説明する部分断面図。
【図１８】（ａ）〜（ｃ）は第２実施例における充填部材の各種変形例を説明する概略平面図。
【図１９】各実施例における充填部材の他の変形例を説明する断面図。
【図２０】図１９におけるＡ部の拡大一部切り欠き断面図。
【符号の説明】
【００７３】
１  地面、          ２  掘削部、
３  基礎部、        １０，１０Ａ  貯留部、
１１  凹窪部、      １１Ａ  Ｕ字溝（凹窪部）、
１２  防水シート、  １４  フレーム、
１５，１５Ａ，１６，１６Ａ  角型マンホール（連通路）、
１７  連通口、
２０  壁材、        ２１  防水シート、
３０，３０Ａ，３０Ｂ  充填部材、
３１  連結部、
３２  傾斜板部（誘導手段）、
３２ａ，３２ｂ    舌片
３２ｋ  上流側端縁（下流側端縁）
３３  補強リブ（補強部）、  ３４  貫通孔、  ３４ａ  突部、
３５  連結部材、    ３８  接合部、
３８ａ  接合凸部、  ３８ｂ  接合孔、
４０  被覆部材、    ４１  被覆ボード、
４２  防水シート、  ４３  埋め戻し層、
５１，５２，５３，５４  整流リブ、
５１ａ，５２ａ，５３ａ，５４ａ  溢流口、
Ｓ，Ｓ１〜Ｓ４  傾斜方向（誘導方向）
Ｓ５  旋回流
【図１】
2005171747.tif 000003
【図２】
2005171747.tif 000004
【図３】
2005171747.tif 000005
【図４】
2005171747.tif 000006
【図５】
2005171747.tif 000007
【図６】
2005171747.tif 000008
【図７】
2005171747.tif 000009
【図８】
2005171747.tif 000010
【図９】
2005171747.tif 000011
【図１０】
2005171747.tif 000012
【図１１】
2005171747.tif 000013
【図１２】
2005171747.tif 000014
【図１３】
2005171747.tif 000015
【図１４】
2005171747.tif 000016
【図１５】
2005171747.tif 000017
【図１６】
2005171747.tif 000018
【図１７】
2005171747.tif 000019
【図１８】
2005171747.tif 000020
【図１９】
2005171747.tif 000021
【図２０】
2005171747.tif 000022